【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
回転可能な活字ドラムと、複数のハンマと、前記活字ドラムの１回転毎にリセットパルス信号を発生させるリセットパルス発生器と、前記活字ドラムの回転軸とは異なる軸に配設され、前記活字ドラムの周面上に配置された各活字位置に対応した一群のキャラクタパルス信号を発生させるキャラクタパルス発生器と、前記リセットパルス信号と前記キャラクタパルス信号とにより前記活字ドラム上の活字位置を判別する活字位置判別手段とを備えたプリンタにおいて、
前記キャラクタパルス発生器が発生する前記一群のキャラクタパルス信号は、第１のキャラクタパルスと、該第１のキャラクタパルスとは波形が異なる第２のキャラクタパルスを少なくとも含むキャラクタパルスブロックを複数構成し、前記活字位置判別手段は、前記リセットパルス信号を検出後に発生するキャラクタパルスが前記第１のキャラクタパルスか前記第２のキャラクタパルスかを識別する識別手段を備えたことを特徴とするプリンタ。
【請求項２】
前記活字位置判別手段は、前記第１のキャラクタパルスを識別することによって前記活字ドラムの第１番目の活字位置を検出することを特徴とする請求項１に記載のプリンタ。
【請求項３】
前記第１のキャラクタパルスは、前記第２のキャラクタパルスよりもパルス幅が大きいことを特徴とする請求項１又は２に記載のプリンタ。
【請求項４】
前記第１のキャラクタパルスを含む第１のキャラクタパルス信号と前記第２のキャラクタパルスを含む第２のキャラクタパルス信号とは同じパルス周期幅を有し、前記第１のキャラクタパルスは前記パルス周期幅の１／２より長く、前記第２のキャラクタパルスは前記パルス周期幅の１／２より短く設定されていることを特徴とする請求項１乃至３のうちのいずれか１つに記載のプリンタ。
【請求項５】
前記第１のキャラクタパルスと前記第２のキャラクタパルスとは、経時的に所定の周期毎に交互に現れることを特徴とする請求項１乃至４のうちのいずれか１つに記載のプリンタ。
【請求項６】
前記キャラクタパルスブロックの数を前記活字ドラムの周面上に配置された活字の数の整数分の１としたことを特徴とする請求項１乃至５のうちのいずれか１つに記載のプリンタ。
【請求項７】
前記キャラクタパルスブロックの各々は、１つの第１のキャラクタパルスと１つの第２のキャラクタパルスとを含み、前記キャラクタパルスブロックの数は、前記活字ドラムの周面上に配置された活字の数の２分の１であることを特徴とする請求項１乃至６のうちのいずれか１つに記載のプリンタ。
【請求項８】
前記キャラクタパルスブロックの各々は、１つの第１のキャラクタパルスと２つの第２のキャラクタパルスとを含み、前記キャラクタパルスブロックの数は、前記活字ドラムの周面上に配置された活字の数の３分の１であることを特徴とする請求項１乃至６のうちのいずれか１つに記載のプリンタ。
【請求項９】
前記第１のキャラクタパルスと前記第２のキャラクタパルスとは、パルスの高さが異なることを特徴とする請求項１又は２に記載のプリンタ。
【手続補正２】
【補正対象書類名】明細書
【補正対象項目名】００１１
【補正方法】変更
【補正の内容】
【００１１】
【課題を解決するための手段】
請求項１に記載のプリンタは、回転可能な活字ドラムと、複数のハンマと、前記活字ドラムの１回転毎にリセットパルス信号を発生させるリセットパルス発生器と、前記活字ドラムの回転軸とは異なる軸に配設され、前記活字ドラムの周面上に配置された各活字位置に対応した一群のキャラクタパルス信号を発生させるキャラクタパルス発生器と、前記リセットパルス信号と前記キャラクタパルス信号とにより前記活字ドラム上の活字位置を判別する活字位置判別手段とを備えたものであって、上記課題を解決するために、前記キャラクタパルス発生器が発生する前記一群のキャラクタパルス信号は、第１のキャラクタパルスと、該第１のキャラクタパルスとは波形が異なる第２のキャラクタパルスを少なくとも含むキャラクタパルスブロックを複数構成し、前記活字位置判別手段は、前記リセットパルス信号を検出後に発生するキャラクタパルスが前記第１のキャラクタパルスか前記第２のキャラクタパルスかを識別する識別手段を備えたことを特徴とする。


【手続補正３】
【補正対象書類名】明細書
【補正対象項目名】００１２
【補正方法】変更
【補正の内容】
【００１２】
請求項２に記載のプリンタは、請求項１に記載のものにおいて、前記活字位置判別手段が、前記第１のキャラクタパルスを識別することによって前記活字ドラムの第１番目の活字位置を検出することを特徴とするものである。請求項３に記載のプリンタは、請求項１又は２に記載のものにおいて、前記第１のキャラクタパルスが、前記第２のキャラクタパルスよりもパルス幅が大きいことを特徴とするものである。請求項４に記載のプリンタは、請求項１乃至３のうちのいずれか１つに記載のものにおいて、前記第１のキャラクタパルスを含む第１のキャラクタパルス信号と前記第２のキャラクタパルスを含む第２のキャラクタパルス信号とは同じパルス周期幅を有し、前記第１のキャラクタパルスは前記パルス周期幅の１／２より長く、前記第２のキャラクタパルスは前記パルス周期幅の１／２より短く設定されていることを特徴とするものである。請求項５に記載のプリンタは、請求項１乃至４のうちのいずれか１つに記載のものにおいて、前記第１のキャラクタパルスと前記第２のキャラクタパルスとは、経時的に所定の周期毎に交互に現れることを特徴とするものである。請求項６に記載のプリンタは、請求項１乃至５のうちのいずれか１つに記載のものにおいて、前記キャラクタパルスブロックの数を前記活字ドラムの周面上に配置された活字の数の整数分の１としたことを特徴とするものである。請求項７に記載のプリンタは、請求項１乃至６のうちのいずれか１つに記載のものにおいて、前記キャラクタパルスブロックの各々は、１つの第１のキャラクタパルスと１つの第２のキャラクタパルスとを含み、前記キャラクタパルスブロックの数は、前記活字ドラムの周面上に配置された活字の数の２分の１であることを特徴とするものである。請求項８に記載のプリンタは、請求項１乃至６のうちのいずれか１つに記載のものにおいて、前記キャラクタパルスブロックの各々は、１つの第１のキャラクタパルスと２つの第２のキャラクタパルスとを含み、前記キャラクタパルスブロックの数は、前記活字ドラムの周面上に配置された活字の数の３分の１であることを特徴とするものである。請求項９に記載のプリンタは、請求項１又は２に記載のものにおいて、前記第１のキャラクタパルスと前記第２のキャラクタパルスとは、パルスの高さが異なることを特徴とするものである。
【手続補正４】
【補正対象書類名】明細書
【補正対象項目名】００８０
【補正方法】変更
【補正の内容】
【００８０】
次に、図９のステップＳ０７及びステップＳ０８の処理について説明する。図１３は、図９のステップＳ０７及びステップＳ０８によって構成された第１キャラクタパルス識別処理に対応するキャラクタパルスオン時間計時処理及び時間条件判別処理のサブルーチンを示すフローチャートである。


【手続補正５】
【補正対象書類名】明細書
【補正対象項目名】００８１
【補正方法】変更
【補正の内容】
【００８１】
ＣＰＵ５７は、まず、開始フラグがセットされているか否かを判別する（ステップＤ０１）。開始フラグがセットされていなければ、ＣＰＵ５７は、ステップＤ０８に移行し、立下りフラグをクリアし（ステップＤ０８）、メインルーチンに復帰し、ステップＳ０１に戻る。このことから、開始フラグが未セットである場合には、キャラクタパルス信号のオン時間の計時は行われず、また、ステップＳ０４の処理おいて立下りフラグがセットされていてもステップＤ０８でクリアされるため、立下りフラグのセットが無効となることは明らかである。